(57)【要約】【課題】室内機の小型化と快適性の確保とを両立することが可能な空調設備を提供する。【解決手段】空調設備は、第一室及び第二室を有して室外に設置された室外ケーシングと、第一室に設置された第一熱交換器、圧縮機及び膨張弁と、第二室に設置されて第二室内を第一空間及び第二空間に区画する第二熱交換器と、を有する冷凍サイクルと、を備える室外ユニットと、室内に設置された室内ケーシング、及び室内ケーシング内に設けられて室内ケーシング内の空気を室内に送風可能なファンを有する送風ユニットと、室内と第一空間とを接続する第一配管と、第二空間と、室内ケーシング内とを接続する第二配管と、を備える。【選択図】図１
2020148427.tif 000002
【特許請求の範囲】
【請求項１】
第一室及び第二室を有して室外に設置された室外ケーシングと、
前記第一室に設置された第一熱交換器、圧縮機及び膨張弁と、前記第二室に設置されて該第二室内を第一空間及び第二空間に区画する第二熱交換器と、を有する冷凍サイクルと、
を備える室外ユニットと、
室内に設置された室内ケーシング、及び、該室内ケーシング内に設けられて該室内ケーシング内の空気を前記室内に送風可能なファンを有する送風ユニットと、
前記室内と前記第一空間とを接続する第一配管と、
前記第二空間と、前記室内ケーシング内とを接続する第二配管と、
を備える空調設備。
【請求項２】
前記室外ケーシングは、前記第二室と前記室外とを連通する換気孔と、該換気孔の連通状態を変化させるダンパと、をさらに有する請求項１に記載の空調設備。
【請求項３】
前記送風ユニットは、前記ファンから前記室内への空気の流れ方向を調節するフラップをさらに有する請求項１又は２に記載の空調設備。
【請求項４】
前記ファンは、軸線に沿って延びるとともに該軸線回りに回転するシロッコファンであり、
前記室内ケーシングは、該室内ケーシング内の空間を、前記シロッコファンをまたいで前記軸線方向に区画する仕切板をさらに有し、
前記送風ユニットは、前記室内ケーシングに形成された導入口を通じて導入された前記室内の空気を前記第一配管に導く第三配管をさらに有し、
該仕切板を基準として前記軸線方向一方側に位置する送風空間には前記第二配管が接続され、前記軸線方向他方側に位置する導入空間には前記第三配管が接続されている請求項１から３のいずれか一項に記載の空調設備。
【請求項５】
前記室内に配置され、前記第一配管に接続された副送風ユニットをさらに備え、
冷房運転時には前記送風ユニットは前記第二空間内の空気を前記室内に送風するとともに、前記副送風ユニットは前記室内の空気を前記第一空間に供給し、暖房運転時には前記送風ユニットは前記室内の空気を前記第二空間に供給するとともに、前記副送風ユニットは前記第一空間内の空気を前記室内に送風する請求項１から４のいずれか一項に記載の空調設備。
【請求項６】
前記副送風ユニットは、前記室内における前記送風ユニットよりも下方に配置されている請求項５に記載の空調設備。
【発明の詳細な説明】
【技術分野】
【０００１】
本発明は、空調設備に関する。
【背景技術】
【０００２】
一般的に、エアコン等の空調機（空調設備）は、室内機と室外機とを備えている。室内機は、室内熱交換器と、送風用のファンとを有し、室外機は、室外熱交換機と、圧縮機と、キャピラリチューブ等の減圧機構と、四方弁と、を有している。圧縮機、減圧機構、室内熱交換器、及び室外熱交換器は、冷媒が充填された配管で互いに接続されており、四方弁を動作させることによって冷媒の流通方向が変化する。これにより、冷房運転と暖房運転とが切り換えられる。
【０００３】
ところで、近年では空調機の高効率化に加えて、フィルターの自動清掃機能等を含む多機能化が進められている。これに伴って、室内機の寸法体格が大きくなる傾向にある。室内機が大型化すると、設置に当たって大きなスペースが必要になるのみならず、生活空間に与える圧迫感も高まってしまう。そこで、室内熱交換器とファンとを室外機内に収める構成が従来提唱されている（例えば下記特許文献１参照）。特許文献１に記載された装置では、室外機内に２つの熱交換器（熱源側熱交換器、利用側熱交換器）と、これら２つの熱交換器にそれぞれ対向する２つのファンとが設けられている。２つのファンは、単一の両軸モータによって駆動される。
【先行技術文献】
【特許文献】
【０００４】
【特許文献１】特開昭５９−１０７１２５号公報
【発明の概要】
【発明が解決しようとする課題】
【０００５】
しかしながら、上記特許文献１に記載された空調機では、利用側熱交換器に対応するファンまでもが室外機内に設けられ、かつ単一の両軸モータによって他方のファンと同時かつ同回転数で運転されるようになっている。このため、室内側に向かう風の流量（風量）を精緻にコントロールすることができず、快適性に制約が生じてしまう。
【０００６】
本発明は上記課題を解決するためになされたものであって、室内機の小型化と快適性の確保とを両立することが可能な空調設備を提供することを目的とする。
【課題を解決するための手段】
【０００７】
本発明の第一の態様によれば、空調設備は、第一室及び第二室を有して室外に設置された室外ケーシングと、前記第一室に設置された第一熱交換器、圧縮機及び膨張弁と、前記第二室に設置されて該第二室内を第一空間及び第二空間に区画する第二熱交換器と、を有する冷凍サイクルと、を備える室外ユニットと、室内に設置された室内ケーシング、及び、該室内ケーシング内に設けられて該室内ケーシング内の空気を前記室内に送風可能なファンを有する送風ユニットと、前記室内と前記第一空間とを接続する第一配管と、前記第二空間と、前記室内ケーシング内とを接続する第二配管と、を備える。
【０００８】
この構成によれば、冷凍サイクルの各要素（第一熱交換器、圧縮機、膨張弁、及び第二熱交換器）が室外ユニットに収容されている。したがって、室内に配置される送風ユニットの寸法体格を小さくすることができる。さらに、室内に送風するためのファンは送風ユニットに設けられている。したがって、ファンの回転数を調節することによって送風の強さ（風量）をより容易かつ精緻にコントロールすることができる。一方で、ファンが室外ユニット内に配置されている場合、たとえ当該ファンの回転数を変化させても、送風が室内に到達するまでに風量や温度が変わってしまう。このため、利用者にとっての快適性が損なわれてしまう可能性がある。上記の構成によればこのような可能性を低減することができる。加えて、上記の構成では、冷凍サイクルが室外ユニット内で完結しているため、冷媒を室内で取り扱うことなく、装置の据付やメンテナンスを行うことができる。これにより、装置の安全性をさらに高めることもできる。
【０００９】
本発明の第二の態様によれば、前記室外ケーシングは、前記第二室と前記室外とを連通する換気孔と、該換気孔の連通状態を変化させるダンパと、をさらに有してもよい。
【００１０】
この構成によれば、室外ケーシングに換気孔とダンパとが設けられている。換気孔は室外ケーシングの第二室と室外とを連通していることから、室外から取り込まれた空気を、第二熱交換器を経ることなく第二配管及び送風ユニットを通じて直接室内に供給することができる。即ち、上記の構成によれば、冷凍サイクルによる温度調節を経ていない常温の空気を室内に供給することができる。これにより、利用者の要求に沿った自然な温度環境（室内環境）を提供することができる。
【００１１】
本発明の第三の態様によれば、前記送風ユニットは、前記ファンから前記室内への空気の流れ方向を調節するフラップをさらに有してもよい。
【００１２】
この構成によれば、フラップの姿勢を変化させることによって、室内への送風の方向を精緻に調節することができる。これにより、室内における特定の領域のみに送風したり、反対に、風を当てたくない領域への送風を避けたりすることができる。その結果、室内の快適性をさらに向上させることができる。
【００１３】
本発明の第四の態様によれば、前記ファンは、軸線に沿って延びるとともに該軸線回りに回転するシロッコファンであり、前記室内ケーシングは、該室内ケーシング内の空間を、前記シロッコファンをまたいで前記軸線方向に区画する仕切板をさらに有し、前記送風ユニットは、前記室内ケーシングに形成された導入口を通じて導入された前記室内の空気を前記第一配管に導く第三配管をさらに有し、該仕切板を基準として前記軸線方向一方側に位置する送風空間には前記第二配管が接続され、前記軸線方向他方側に位置する導入空間には前記第三配管が接続されていてもよい。
【００１４】
この構成によれば、室内ケーシング内の空間が、仕切板によってシロッコファンをまたいで軸線方向に区画されている。軸線方向一方側の空間である送風区間には、室外ユニットの第二室から延びる第二配管が接続されている。第二配管から供給された空気は、シロッコファンによって室内に供給される。一方で、軸線方向他方側の空間である導入空間には、室内ケーシングに形成された導入口を通じて導入された室内の空気が流れ込む。この室内の空気は、第三配管を経て第一配管に導かれる。このように、上記の構成によれば、導入空間と導入口とが設けられていることによって、室内の空気を積極的に室外ユニットに供給することができる。その結果、室内の温度（送風の温度）をより早期に所望の値に変化させることができる。加えて、上記の構成によれば、導入空間を通じた空気の取り込みと、送風空間からの送風とを単一のシロッコファンで同時に行うことができる。即ち、他の装置を別個に設けることなく、室内の空気を積極的に室外ユニットに供給することができる。これにより、部品点数が削減され、装置のコストを下げることができる。
【００１５】
本発明の第五の態様によれば、空調設備は、前記室内に配置され、前記第一配管に接続された副送風ユニットをさらに備え、冷房運転時には前記送風ユニットは前記第二空間内の空気を前記室内に送風するとともに、前記副送風ユニットは前記室内の空気を前記第一空間に供給し、暖房運転時には前記送風ユニットは前記室内の空気を前記第二空間に供給するとともに、前記副送風ユニットは前記第一空間内の空気を前記室内に送風してもよい。
【００１６】
この構成によれば、空調設備が、送風ユニットとは独立した副送風ユニットを備えている。これにより、例えば冷房運転時には送風ユニットを専ら室内への送風用として用いることができるとともに、副送風ユニットを専ら室外ユニットへの空気の導入用として用いることができる。他方で、暖房運転時には、送風ユニットを専ら室外ユニットへの空気の導入用として用いることができるとともに、副送風ユニットを専ら室内への送風用として用いることができる。このように、室内への送風の風量を十分に確保することができ、かつ室外ユニットへの空気の導入量も十分に確保することができる。
【００１７】
本発明の第六の態様によれば、前記副送風ユニットは、前記室内における前記送風ユニットよりも下方に配置されていてもよい。
【００１８】
この構成によれば、副送風ユニットは送風ユニットよりも下方に設置されている。したがって、例えば暖房運転時には、室内の床面に近い位置から送風を行うとともに、それよりも高い位置（例えば天井付近）から室外ユニットに空気を導入することができる。他方で、冷房運転時には、室内の床面に近い位置から空気を導入するとともに、それよりも高い位置（例えば天井付近）から送風を行うことができる。ここで、高温の空気は上方に移動する傾向にあり、低温の空気は下方に滞留する傾向にあることが知られている。上記の構成によれば、暖房運転時には副送風ユニットによって床面付近に積極的に送風されることからより高い暖房効果を得ることができる。さらに、冷房運転時には送風ユニットによって天井付近に積極的に送風されることからより高い冷房効果を得ることができる。
【発明の効果】
【００１９】
本発明によれば、室内機の小型化と快適性の確保とを両立することが可能な空調設備を提供することができる。
【図面の簡単な説明】
【００２０】
【図１】本発明の第一実施形態に係る空調設備の構成を示す模式図である。
【図２】本発明の第一実施形態に係る空調設備の冷凍サイクルを示す図である。
【図３】本発明の第二実施形態に係る空調設備の構成を示す模式図である
【図４】図３におけるＩＶ矢視図である。
【図５】図４におけるＶ−Ｖ視断面図である。
【図６】本発明の第三実施形態に係る空調設備の構成を示す模式図である。
【発明を実施するための形態】
【００２１】
［第一実施形態］
本発明の第一実施形態について、図１と図２を参照して説明する。本実施形態に係る空調設備１００は、室内の温度を調節するために用いられる。図１に示すように、空調設備１００は、建物の室外に配置される室外ユニット１と、室内に配置される送風ユニット２と、室外ユニット１と室内とを接続する第一配管３と、室外ユニット１と送風ユニット２とを接続する第二配管４と、を備えている。
【００２２】
室外ユニット１は、室外ケーシング１１と、当該室外ケーシング１１内に収容された冷凍サイクル２０と、を有している。室外ケーシング１１は方形の箱状をなしており、その内部には冷凍サイクル２０の各機器を収容するための空間が形成されている。この空間は、隔壁３０によって２つに区画されている。隔壁３０は、地面と平行に広がる板状をなしている。室外ケーシング１１内においてこの隔壁３０よりも下方の空間は第一室Ｒ１とされ、隔壁３０よりも上方の空間は第二室Ｒ２とされている。本実施形態では第一室Ｒ１と第二室Ｒ２とは互いに同等の容積を有している。
【００２３】
室外ケーシング１１の一部には、上記の第二室Ｒ２と室外とを連通する換気孔１２が形成されている。換気孔１２はダンパ１３を開閉することによって連通状態が変化する。
【００２４】
冷凍サイクル２０は、第一熱交換器２１と、圧縮機２２と、膨張弁２３と、第二熱交換器２４と、室外ファン２５と、四方弁２６と、を有している。第一熱交換器２１、圧縮機２２、膨張弁２３、四方弁２６、及び室外ファン２５は、上記の第一室Ｒ１内に配置されている。第一熱交換器２１、圧縮機２２、膨張弁２３、及び四方弁２６は後述する冷媒回路（配管）によって接続されている。室外ファン２５は、室外の空気を取り込んで第一熱交換器２１に向かって送風する。
【００２５】
第二熱交換器２４は、上記の第二室Ｒ２内に配置されている。第二熱交換器２４は、第二室Ｒ２内において鉛直方向に対して傾斜した姿勢で配置されている。本実施形態では、建物の壁Ｗに近付くに従って上方に向かうように配置されている。第二室Ｒ２内において、第二熱交換器２４よりも下方の空間は第一空間Ｖ１とされ、上方の空間は第二空間Ｖ２とされている。第一空間Ｖ１は、第一配管３を介して室内と接続されている。第二空間Ｖ２は、第二配管４を通じて送風ユニット２と接続されている。第一配管３、及び第二配管４は、建物の壁Ｗを貫通している。
【００２６】
次に、図２を参照して冷凍サイクル２０の動作について説明する。まず、圧縮機２２は、冷媒を圧縮し、圧縮した冷媒を冷媒回路に供給する。第一熱交換器２１は、冷媒と、室外ファン２５によって第一室Ｒ１に取り込まれた室外の空気との間で熱交換を行う。膨張弁２３は、凝縮器で熱交換をすることで液化した高圧の冷媒を膨張させて低圧化する。第一熱交換器２１は、冷房運転時には、凝縮器として用いられ室外へ放熱し、暖房運転時には、蒸発器として用いられ室外から吸熱する。
【００２７】
第二熱交換器２４は、冷媒と、第一配管３を通じて第二室Ｒ２に取り込まれた室内の空気との間で熱交換を行う。第二熱交換器２４は、冷房運転時には蒸発器として用いられ第二室Ｒ２の空気の熱を吸熱し、暖房運転時には凝縮器として用いられ第二室Ｒ２内の空気に放熱する。四方弁２６は、暖房運転時と冷房運転時とで冷媒の流通する方向を切り替える。これにより、冷房運転時には、冷媒が、圧縮機２２、第一熱交換器２１、膨張弁２３及び第二熱交換器２４の順に循環する。一方、暖房運転時には、冷媒が、圧縮機２２、第二熱交換器２４、膨張弁２３及び第一熱交換器２１の順に循環する。
【００２８】
再び図１を参照して送風ユニット２の構成について説明する。送風ユニット２は、室内ケーシング５１と、シロッコファン５２（ファン）と、を有している。室内ケーシング５１は、室内における比較的に高い位置（例えば天井付近）に配置されている。室内ケーシング５１の内部には、シロッコファン５２が収容されている。シロッコファン５２は、水平方向に延びる軸線Ａｃを中心とする略円柱状をなしている。軸線Ａｃ回りに回転駆動されることで、シロッコファン５２は、外周側の一部から空気を取り込んで圧縮し、直径方向における反対側に向かって空気を吹き出すことができる（送風可能である）。より具体的には、上述の第二配管４を通じて室外ユニット１の第二空間Ｖ２から導入された空気がシロッコファン５２によって室内に送られる。
【００２９】
本実施形態では、室内ケーシング５１内に、シロッコファン５２の下半を水平方向両側から覆うリアガイダ５３、及びスタビライザ５４が設けられている。これらリアガイダ５３、及びスタビライザ５４によって、シロッコファン５２に対する空気の吸入方向と、シロッコファン５２からの空気の吹き出し方向とが規定される。
【００３０】
さらに、室内ケーシング５１の送風口５５には、フラップ５６が設けられている。フラップ５６は、送風口５５を覆う程度の面積を有する板状をなしている。フラップ５６は、水平方向に延びる回転軸Ａｒ回りに回動可能とされている。フラップ５６の姿勢（回動角度）を変化させることで、送風口５５から吹き出される風の向きを調節することができる。
【００３１】
次に、本実施形態に係る空調設備１００の動作について説明する。空調設備１００を冷房運転する際には、上記の第二熱交換器２４が蒸発器として動作する。第一配管３を通じて第一空間Ｖ１内に取り込まれた空気は、この第二熱交換器２４に接触することで低温となり、第二空間Ｖ２及び第二配管４を経て送風ユニット２に向かって流れ、シロッコファン５２によって室内に送風される。
【００３２】
一方で、空調設備１００を暖房運転する際には、第二熱交換器２４は凝縮器として動作する。第一配管３を通じて第一空間Ｖ１内に取り込まれた空気は、この第二熱交換器２４に接触することで高温となり、第二空間Ｖ２及び第二配管４を経て送風ユニット２に向かって流れ、シロッコファン５２によって室内に送風される。
【００３３】
さらに、冷凍サイクル２０を停止した状態で、上述のダンパ１３を開放することによって、換気孔１２から室外の空気を取り込み、第二空間Ｖ２、第二配管４を経てシロッコファン５２によって室内に送風のみを行うこともできる。
【００３４】
以上のように、本実施形態に係る構成では、冷凍サイクル２０の各要素（第一熱交換器２１、圧縮機２２、膨張弁２３、及び第二熱交換器２４）が室外ユニット１に収容されている。さらに、室内に送風するためのシロッコファン５２は送風ユニット２に設けられている。したがって、室内に配置される送風ユニット２の寸法体格を小さくすることができる。さらに、シロッコファン５２の回転数を調節することによって送風の強さ（風量）をより容易かつ精緻にコントロールすることもできる。
【００３５】
一方で、シロッコファン５２が室外ユニット１内に配置されている場合、たとえ当該ファンの回転数を変化させても、送風が室内に到達するまでに風量や温度が変わってしまう。このため、利用者にとっての快適性が損なわれてしまう可能性がある。上記の構成によればこのような可能性を低減することができる。加えて、上記の構成では、冷凍サイクル２０が室外ユニット１内で完結しているため、冷媒を室内で取り扱うことなく、装置の据付やメンテナンスを行うことができる。これにより、装置の安全性をさらに高めることもできる。
【００３６】
さらに、上記の構成によれば、室外ケーシング１１に換気孔１２とダンパ１３とが設けられている。換気孔１２は室外ケーシング１１の第二室Ｒ２と室外とを連通していることから、室外から取り込まれた空気を、第二熱交換器２４を経ることなく第二配管４及び送風ユニット２を通じて直接室内に供給することができる。即ち、上記の構成によれば、冷凍サイクル２０による温度調節を経ていない常温の空気を室内に供給することができる。これにより、利用者の要求に沿った自然な温度環境（室内環境）を提供することができる。
【００３７】
加えて、上記の構成によれば、室内ケーシング５１に設けられたフラップ５６の姿勢を変化させることによって、室内への送風の方向を精緻に調節することができる。これにより、室内における特定の領域のみに送風したり、反対に、風を当てたくない領域への送風を避けたりすることができる。その結果、室内の快適性をさらに向上させることができる。
【００３８】
以上、本発明の第一実施形態について説明した。なお、本発明の要旨を逸脱しない限りにおいて、上記の構成に種々の変更や改修を施すことが可能である。例えば上記実施形態では、送風ユニット２がファンとしてシロッコファン５２を有している例について説明した。しかしながら、ファンの態様は上記に限定されず、他の例としてクロスフローファンを含む他の形態のものを適用することも可能である。
【００３９】
［第二実施形態］
次に、本発明の第二実施形態について、図３から図５を参照して説明する。なお、上記実施形態と同様の構成については同一の符号を付し、詳細な説明を省略する。図３に示すように、本実施形態では、送風ユニット２は、第一配管３と室内ケーシング５１とを接続する第三配管５をさらに有している。さらに、図４に示すように、室内ケーシング５１の内部は、仕切板Ｓによって２つに区画されている。より具体的には、仕切板Ｓは、シロッコファン５２の軸線Ａｃ方向に室内ケーシング５１の内部を区画している。また、仕切板Ｓには、シロッコファン５２を駆動するためのモータ６が取り付けられている。
【００４０】
仕切板Ｓを基準として軸線Ａｃ方向一方側の空間は導入空間６２とされている。この導入空間６２には、室内ケーシング５１の上部に形成された導入口６３を通じて導入された室内の空気が流れ込む。図５に示すように、導入空間６２に導入された室内の空気は、シロッコファン５２によって圧送されて、上記の第三配管５に流れ込む。第三配管５に流れ込んだ空気は、第一配管３を経て室外ユニット１の第一空間Ｖ１に到達する。即ち、導入空間６２は、シロッコファン５２の動作によって室内の空気を室外ユニット１（第一空間Ｖ１）に導入するために設けられている。
【００４１】
一方で、仕切板Ｓを基準として軸線Ａｃ方向他方側の空間は送風空間６１とされている。この送風空間６１は、上記の第一配管３を通じて室外ユニット１の第二空間Ｖ２と連通されている。即ち、例えば冷房運転時には、第二空間Ｖ２内で熱交換された低温の空気が送風空間６１を経て室内に供給される。
【００４２】
上記の構成によれば、室内ケーシング５１内の空間が、仕切板Ｓによってシロッコファン５２をまたいで軸線Ａｃ方向に区画されている。軸線Ａｃ方向一方側の空間である導入空間６２には、室内ケーシング５１に形成された導入口６３を通じて導入された室内の空気が流れ込む。この室内の空気は、第三配管５を経て第一配管３に導かれる。一方で、軸線Ａｃ方向他方側の空間である送風空間６１には、室外ユニット１の第二室Ｒ２から延びる第二配管４が接続されている。第二配管４から供給された空気は、シロッコファン５２によって室内に供給される。
【００４３】
このように、上記の構成によれば、室内ケーシング５１に導入空間６２と導入口６３とが設けられていることによって、室内の空気を積極的に室外ユニット１に供給することができる。その結果、室内の温度（送風の温度）をより早期に所望の値に変化させることができる。加えて、上記の構成によれば、導入空間６２を通じた空気の取り込みと、送風空間６１からの送風とを単一のシロッコファン５２で同時に行うことができる。即ち、他の装置を別個に設けることなく、室内の空気を積極的に室外ユニット１に供給することができる。これにより、部品点数が削減され、装置のコストを下げることができる。
【００４４】
以上、本発明の第二実施形態について説明した。なお、本発明の要旨を逸脱しない限りにおいて、上記の構成に種々の変更や改修を施すことが可能である。例えば上記実施形態では、送風ユニット２がファンとしてシロッコファン５２を有している例について説明した。しかしながら、ファンの態様は上記に限定されず、他の例としてクロスフローファンを含む他の形態のものを適用することも可能である。
【００４５】
［第三実施形態］
続いて、本発明の第三実施形態について、図６を参照して説明する。なお、上記の各実施形態と同様の構成については同一の符号を付し、詳細な説明を省略する。図６に示すように、本実施形態では、空調設備１００は、上記の送風ユニット２とは別に、副送風ユニット２Ｂをさらに備えている。副送風ユニット２Ｂは、室内における送風ユニット２よりも下方に配置されている。より具体的には、副送風ユニット２Ｂは、室内の床面付近に配置されることが望ましい。副送風ユニット２Ｂは、送風ユニット２と同様に、他のシロッコファン５２Ｂを内部に有している。送風ユニット２のシロッコファン５２と、副送風ユニット２Ｂのシロッコファン５２Ｂは、上述の四方弁２６の動作と連動して、冷房運転時と暖房運転時とで回転方向が逆転するように制御される。具体的には、冷房運転時には上述の送風ユニット２は、室外ケーシング１１の第二空間Ｖ２内の空気を室内に供給し、副送風ユニット２Ｂは室内の空気を、第一配管３を通じて第一空間Ｖ１に供給する（図６中の実線矢印を参照）。一方で、暖房運転時には、送風ユニット２は室内の空気を、第二配管４を通じて第二空間Ｖ２に供給し、副送風ユニット２Ｂは、第一空間Ｖ１内の空気を、第一配管３を通じて室内に供給する（図６中の鎖線矢印を参照）。
【００４６】
上記の構成によれば、空調設備１００が、送風ユニット２とは独立した副送風ユニット２Ｂを備えている。これにより、例えば冷房運転時には送風ユニット２を専ら室内への送風用として用いることができるとともに、副送風ユニット２Ｂを専ら室外ユニット１への空気の導入用として用いることができる。他方で、暖房運転時には、送風ユニット２を専ら室外ユニット１への空気の導入用として用いることができるとともに、副送風ユニット２Ｂを専ら室内への送風用として用いることができる。このように、室内への送風の風量を十分に確保することができ、かつ室外ユニット１への空気の導入量も十分に確保することができる。
【００４７】
さらに、上記の構成によれば、副送風ユニット２Ｂは送風ユニット２よりも下方（床面付近）に設置されている。したがって、例えば暖房運転時には、室内の床面に近い位置から送風を行うとともに、それよりも高い位置（例えば天井付近）から室外ユニット１に空気を導入することができる。他方で、冷房運転時には、室内の床面に近い位置から空気を導入するとともに、それよりも高い位置（例えば天井付近）から送風を行うことができる。ここで、高温の空気は上方に移動する傾向にあり、低温の空気は下方に滞留する傾向にあることが知られている。上記の構成によれば、暖房運転時には副送風ユニット２Ｂによって床面付近に積極的に送風されることからより高い暖房効果を得ることができる。さらに、冷房運転時には送風ユニット２によって天井付近に積極的に送風されることからより高い冷房効果を得ることができる。
【００４８】
以上、本発明の第三実施形態について説明した。なお、本発明の要旨を逸脱しない限りにおいて、上記の構成に種々の変更や改修を施すことが可能である。例えば上記実施形態では、送風ユニット２、及び副送風ユニット２Ｂがファンとしてシロッコファン５２，５２Ｂをそれぞれ有している例について説明した。しかしながら、ファンの態様は上記に限定されず、他の例としてクロスフローファンを含む他の形態のものを適用することも可能である。
【符号の説明】
【００４９】
１…室外ユニット
２…送風ユニット
３…第一配管
４…第二配管
５…第三配管
６…モータ
１１…室外ケーシング
１２…換気孔
１３…ダンパ
２０…冷凍サイクル
２１…第一熱交換器
２２…圧縮機
２３…膨張弁
２４…第二熱交換器
２５…室外ファン
２６…四方弁
３０…隔壁
５１…室内ケーシング
５２…シロッコファン
５３…リアガイダ
５４…スタビライザ
５５…送風口
５６…フラップ
６１…送風空間
６２…導入空間
６３…導入口
１００…空調設備
２Ｂ…副送風ユニット
５２Ｂ…シロッコファン
Ａｃ…軸線
Ａｒ…回転軸
Ｒ１…第一室
Ｒ２…第二室
Ｓ…仕切板
Ｖ１…第一空間
Ｖ２…第二空間
Ｗ…壁
【図１】
2020148427.tif 000003
【図２】
2020148427.tif 000004
【図３】
2020148427.tif 000005
【図４】
2020148427.tif 000006
【図５】
2020148427.tif 000007
【図６】
2020148427.tif 000008